(57)【特許請求の範囲】
【請求項１】
高圧水を噴射する高圧水噴射口を先端部に設けた高圧水供給導管と、この高圧水噴射口の周囲に配されて高圧水を中心とした同心円状に低圧水を噴射する低圧水噴射口を先端部に設けた低圧水供給導管とを備え、気中でキャビテーションを発生させる気中キャビテーションジェットノズルにおいて、
前記低圧水供給導管が、前記高圧水供給導管の軸線に沿って設けられており、
前記高圧水噴射口の端縁に対して低圧水噴射口の端縁を出入り可能に保持する高低圧水噴射口保持手段を更に備え、
前記高低圧水噴射口保持手段は、
前記低圧水供給導管の端縁部を入れ子式に装着可能な座ぐり穴状のガイド孔と前記低圧水噴射口とを備えたノズル部と、
前記ガイド孔の内形に装着可能な外形と前記低圧水供給導管と面一となる内形と予め定められた幅長とを備えたリング部と、
前記ノズル部を前記低圧水供給導管に対して固定保持する固定保持手段とを備え、
前記リング部を前記低圧水供給導管端縁面と前記ガイド孔の座部とに突き合わせることを特徴とする気中キャビテーションジェットノズル。
【請求項２】
前記低圧水供給導管には、供給される低圧水を前記高圧水供給導管の軸線に沿った偏りの少ない流れとする１つ以上の整流手段が設けられていることを特徴とする請求項１に記載の気中キャビテーションジェットノズル。
【請求項３】
前記低圧水供給導管が前記高圧水供給導管の後端末よりも後端側から前記高圧水供給導管の軸線に沿って供給されることを特徴とする請求項１又は２に記載の気中キャビテーションジェットノズル。
【発明の詳細な説明】
【技術分野】
【０００１】
本発明は気中キャビテーションジェットノズルの改良に関するものである。
【背景技術】
【０００２】
高圧水の周囲に低圧水を同心円状に噴射して気中でキャビテーションを発生させる方法及び装置は既に報告されている。例えば、大気中に位置するノズルの第１及び第２噴出口からそれぞれ液体流を噴出させるものであり、第１噴出口から噴出される第１液体流は第２噴出口から噴出される局部的液体環境を形成する第２液体流によって取り囲まれており、この第１液体流は第２液体流よりも高速であってキャビテーション気泡を含み、これらの第１及び第２液体流を、大気中にある金属材料の表面に当て、キャビテーション気泡の崩壊により生じる衝撃力を被加工物の表面に発生させるものである（例えば、特許文献１参照）。また、気中キャビテーションは水中噴射キャビテーションより１０倍以上大きい加工能力を有する（例えば、特許文献２参照）。
【０００３】
キャビテーション気泡の崩壊による衝撃力は、種々の目的に使用されている。例えば、特許文献１での金属材料の残留応力改善の他に、歯車、バネ、金型等の機械部品の表面を改質したり及び洗浄を処理（例えば、特許文献２参照）やコンクリート、石材、金属等の掘削等にも使用することが可能である
【０００４】
図４は従来の気中キャビテーションジェットノズルのノズル構成を示す説明図である。図に示す通り、従来の気中キャビテーションジェットノズル５０としては低圧水５１は高圧水５２のノズル５３に対して直角方向に流入し、その後、９０度曲がって噴射されるのが常であった。
【０００５】
【特許文献１】特許第２９５７９７６号公報
【特許文献２】特開２００３−６２４９２号公報
【発明の開示】
【発明が解決しようとする課題】
【０００６】
ところで、このような気中キャビテーションジェットノズルにおいては、キャビテーションが均一に発生し難く、安定したキャビテーションを発生させるために低圧水供給量の調整及びノズル先端自体の調整が難しかった。このような場合には、低圧水供給量の変化に応じてノズル先端部内の構造自体を変化させなければ対応できない状況もあった。
【０００７】
また、実用面上では、低圧水導入用のホースのためノズルユニットが大きくなり、ノズル移動時には低圧用ホースの取り回しスペースが必要となりノズルと被加工物とが対峙する噴射空間（改質室、洗浄室、処理室等）を大きく確保する必要があった。また、ノズルの複数配列が実質的に困難である。また、気中キャビテーションジェット装置の新たな用途も限定されざるを得ない状況にあった。
【０００８】
これらを鑑み、本発明は、安定したキャビテーションを発生させるための調整が容易で、しかも、ノズル周りをコンパクトとする気中キャビテーションジェットノズルを提供するものである。
【課題を解決するための手段】
【０００９】
請求項１に記載された発明に係る気中キャビテーションジェットノズルは、高圧水を噴射する高圧水噴射口を先端部に設けた高圧水供給導管と、この高圧水噴射口の周囲に配されて高圧水を中心とした同心円状に低圧水を噴射する低圧水噴射口を先端部に設けた低圧水供給導管とを備え、気中でキャビテーションを発生させる気中キャビテーションジェットノズルにおいて、
前記低圧水供給導管が、前記高圧水供給導管の軸線に沿って設けられており、
前記高圧水噴射口の端縁に対して低圧水噴射口の端縁を出入り可能に保持する高低圧水噴射口保持手段を更に備え、
前記高低圧水噴射口保持手段は、
前記低圧水供給導管の端縁部を入れ子式に装着可能な座ぐり穴状のガイド孔と前記低圧水噴射口とを備えたノズル部と、
前記ガイド孔の内形に装着可能な外形と前記低圧水供給導管と面一となる内形と予め定められた幅長とを備えたリング部と、
前記ノズル部を前記低圧水供給導管に対して固定保持する固定保持手段とを備え、
前記リング部を前記低圧水供給導管端縁面と前記ガイド孔の座部とに突き合わせることを特徴とするものである。
【００１０】
請求項２に記載された発明に係る気中キャビテーションジェットノズルは、請求項１に記載の低圧水供給導管には、供給される低圧水を前記高圧水供給導管の軸線に沿った偏りの少ない流れとする１つ以上の整流手段が設けられていることを特徴とするものである。
【００１１】
請求項３に記載された発明に係る気中キャビテーションジェットノズルは、請求項１又は２に記載の低圧水供給導管が前記高圧水供給導管の後端末よりも後端側から前記高圧水供給導管の軸線に沿って供給されることを特徴とするものである。
【発明の効果】
【００１４】
本発明は、安定したキャビテーションを発生させるための調整が容易で、しかも、ノズル周りをコンパクトとする気中キャビテーションジェットノズルを得ることができるという効果がある。
【発明を実施するための最良の形態】
【００１５】
本発明においては、高圧水を噴射する高圧水噴射口を先端部に設けた高圧水供給導管と、この高圧水噴射口の周囲に配されて高圧水を中心とした同心円状に低圧水を噴射する低圧水噴射口を先端部に設けた低圧水供給導管とを備え、気中でキャビテーションを発生させる気中キャビテーションジェットノズルにおいて、前記低圧水供給導管が前記高圧水供給導管に沿って設けられているものである。これにより、安定したキャビテーションを発生させることができ、しかも、ノズル周りをコンパクトとする気中キャビテーションジェットノズルを得ることができる。
【００１６】
即ち、従来のキャビテーションジェットノズルは、低圧水はノズル先端部で高圧水のノズルに対して直角方向に流入して９０度曲がって噴射されるため、例えば低圧水供給量を変化させると高圧水の周りに均一に取り巻いていた低圧水の噴射量に偏りが生じ、噴射量のバランスが崩れることにより、キャビテーションの発生が均一でなくなる。このため、安定したキャビテーションを発生させるために低圧水供給量の調整及びノズル先端自体の調整が難しかった。
【００１７】
本発明の気中キャビテーションジェットノズルでは、低圧水供給導管が高圧水供給導管の軸線に沿って設けられることにより、低圧水が高圧水の噴射方向に沿って供給される。これにより、低圧水の供給量を変化させても高圧水の周りに均一に取り巻いていた低圧水の噴射量に偏りが生じ難く、安定したキャビテーションを発生させることができる。
【００１８】
また、低圧水供給導管が高圧水供給導管の軸線に沿って設けられることにより、従来のノズルには必須であったノズル先端部分での低圧用ホースの取り回しスペースが不要となり、ノズルと被加工物とが対峙する噴射空間（改質室、洗浄室、処理室等）を大きく確保する必要がなくなる。また、ノズルの複数配列も容易に行うことができ、気中キャビテーションジェット装置の新たな用途も開発可能となる等の利点もある。
【００１９】
本発明の低圧水供給導管は高圧水供給導管の軸線に沿って設けられることにより、低圧水の噴射量に偏りが生じ難く、安定したキャビテーションを発生させることができる。より好ましくは、低圧水供給導管は供給される低圧水を高圧水供給導管の軸線に沿った偏りの少ない流れとする１つ以上の整流手段を設けることにより、低圧水供給導管内の流れの偏りを低減して安定したキャビテーションを発生させることができる。
【００２０】
整流手段としては、例えば、低圧水供給導管の流路を塞ぐように配された板材に複数の連通孔を備えた整流板や低圧水の流れに沿って長尺部材を並べたり多数の管路を束ねた整流材などが採用される。尚、複数の整流板を低圧水供給導管内に配する場合には、好ましくは、隣接する整流板の対向する連通孔同士の配置をずらして連通孔を通る低圧水の流線をずらすことにより、定圧水供給導管内での低圧水の流れに偏りを生じさせない等の工夫を行う。
【００２１】
本発明の高圧水供給導管は、数百〜数十ＭＰもの高圧水が流れ、しかも、噴射ノズル径が数ｍｍ〜０．数ｍｍであるため、高圧水供給導管が短くても噴射量の偏りによるキャビテーションの不安定さは少ない。そのため、従来のように高圧水供給導管を長く取る必要はなく、数十ｃｍ程度で充分である。そこで、更に好ましくは、低圧水供給導管が高圧水供給導管の後端末よりも後端側から前記高圧水供給導管の軸線に沿って供給されるものである。
【００２２】
本発明のノズル先端部には従来のような低圧水供給配管は連結されない。このため、ノズル先端部の自由度も増すことになり、従来は変更が不可能であった高圧水噴射口の端縁に対して低圧水噴射口の端縁を出入り可能に保持することが可能となる。好ましくは、高圧水噴射口の端縁に対して低圧水噴射口の端縁を出入り可能に保持する高低圧水噴射口保持手段を更に備える。高圧水と低圧水とが合流する位置によってキャビテーションによる壊食量、即ち、キャビテーションの威力が変化するため、合流点の位置調整が必要であり、前記高低圧水噴射口保持手段により、合流点の位置調整が可能となる。
【００２３】
高低圧水噴射口保持手段としては、高圧水噴射口を備えたパーツと低圧水噴射口を備えたパーツとの何れか一方を固定し、他方を駆動手段に固定して相対距離を変動させてもよいが、より好ましくは、この高低圧水噴射口保持手段として、低圧水供給導管の端縁部を入れ子式に装着可能な座ぐり穴状のガイド孔と前記低圧水噴射口とを備えたノズル部と、ガイド孔の内形に装着可能な外形と前記低圧水供給導管と面一となる内形と予め定められた幅長とを備えたリング部と、ノズル部を前記低圧水供給導管に対して固定保持する固定保持手段とを備え、任意の幅長のリング部を装着して前記低圧水供給導管端縁面と前記ガイド孔の座部とに突き合わせることにより、高圧水噴射口の端縁に対して低圧水噴射口の端縁を出入り可能に保持することが可能となる。
【実施例】
【００２４】
図１は本発明の気中キャビテーションジェットノズルの一実施例の構成を示す説明図であり、ａ図は縦断面図、ｂ図は側面図である。図２は図１のノズルの各横断面図であり、ａ図はＡ−Ａ断面図、ｂ図はＢ−Ｂ断面図、ｃ図はＣ−Ｃ断面図、ｄ図はＤ−Ｄ断面図、ｅ図はＥ−Ｅ断面図である。
【００２５】
図に示す通り、本実施例の気中キャビテーションジェットノズル装置は、大きく分けて本体部１０と、その本体部１０の上端部に配された高低圧水供給部２０と、本体部１０の下端部に配されたノズル部３０との３つからなる。本体部１０は高圧水がノズル部３０方向に流れる高圧水供給導管１１を中心としてその周囲に低圧水がノズル部３０方向に流れる低圧水供給導管１２の二重構造となっている。
【００２６】
高低圧水供給部２０はその後端面に図示しない低圧水供給ホースに連結される低圧水供給口２１と、側面部に図示しない高圧水供給配管に連結される高圧水供給口２２とを備える。図２のａ図にも示す通り、高圧水供給口２２はＺ軸マニホールド２３の高圧水供給導管１１の後端部となる穿設孔２４の側面から供給されている。このＺ軸マニホールド２３には低圧水供給口２１からの低圧水を本体部１０の低圧水供給導管１２に流すために５つの連通孔２５が形成されている。尚、この５つの連通孔２５が低圧水の流れの偏りを解消するための第１の整流手段となっている。連通孔２５の長さは穴径の５倍以上であり、穴径の断面積の合計は低圧水供給口面積の６０パーセント以上である。
【００２７】
高低圧水供給部２０は、本体部１０の外殻となる円管１３の上端に形成された突き合わせ部１４で接合されている。Ｚ軸マニホールド２３の連通孔２５を通過した低圧水は、図２のｂ図に示す通り、この突き合わせ部１４に穿設された４つの連通孔１５を介して本体部１０の低圧水供給導管１２に供給される。尚、この４つの連通孔１５が低圧水の流れの偏りを解消するための第２の整流手段となっている。連通孔の長さは穴径の２倍以上であり、穴径の断面積の合計は低圧水供給口面積の７５パーセント以上である。
【００２８】
本体部１０内部では低圧水は本体部１０の中心に配された高圧水供給導管１１の回りに配された低圧水供給導管１２内を流れるため、高圧水の噴射方向に沿って供給される。これにより、低圧水の流れに偏りが生じ難くなる。
【００２９】
高圧水は本体部１０の内部を下流側に流れるに従い段階的に流れ断面を狭めることにより、高い圧力で噴射口から噴射される。先ず、本体部１０の円管１３の下端部に配されたフランジ部１６で流れ断面を狭められる。図２のｃ図に示す通り、大小の連通孔１７、１８が穿設され、低圧水もフランジ部１６によって若干流れ断面が狭められる。尚、これら連通孔１７、１８は低圧水の流れの偏りを解消するための第３の整流手段となっている。連通孔の長さは穴径の２倍以上であり、穴径の断面積の合計は低圧水供給口面積の７５パーセント以上である。
【００３０】
フランジ部１６の下端部にはノズル部３０を保持するホルダ部１９が装着されている。このホルダ部１９においても、高圧水は流れ断面を狭められる。ホルダ部１９の軸中心部は高圧水供給導管１１に沿って下端方向に延設されこの延設部を覆うように高圧水ノズルホルダ部３１が装着される。
【００３１】
高圧水ノズルホルダ部３１は、図２のｄ図に示す通り、ホルダ部１９の延設部を中心とした同心円状に配列した８つの連通孔３５が穿設され、低圧水も若干流れ断面が狭められる。尚、この８つの連通孔３５が低圧水の流れの偏りを解消するための第４の整流手段となっている。連通孔の長さは穴径の２倍以上であり、穴径の断面積の合計は低圧水供給口面積の７５パーセント以上である。
【００３２】
高圧水ノズルホルダ部３１においても軸中心部は高圧水供給導管１１に沿って下端方向に延設されこの延設部を覆うように高圧水ノズル３２が装着されている。高圧水ノズル３２の先端部の高圧水噴射口３３には高圧水の流れ断面を更に狭めるオリフィス３４が装着されている。最終部の整流手段は図２のＥ図に示す通り、高圧水ノズル外周の単なる空間であり、空間部の長さは高圧水ノズル外径の５倍以上あり、整流させて定圧水を噴射口に導く。また、空間部の断面積は低圧水供給口面積の６０パーセント以上である。
【００３３】
高圧水ノズルホルダ部３１の外殻部には低圧水ノズル部３６が装着されている。低圧水ノズル部３６の先端部はテーパー状に縮径し、先端の低圧水噴射口３８から低圧水を高圧水を中心とした同心円状に低圧水を噴射する。低圧水ノズル部３６には、高圧水ノズルホルダ部３１の外殻部を入れ子式に装着可能な座ぐり穴状のガイド孔３７が備わり、入れ子式に装着した後で固定保持手段としての締め付けボルト３９を緊締してガイド孔３７の内径を縮径して固定される。Ｚ軸マニホールド２３とフランジ部１６は整流機能と同時に高圧水供給導管１１を低圧水供給導管内で保持する。
【００３４】
高圧水ノズルホルダ部３１の下端縁とガイド孔３７の座部４１との間には高圧水噴射口の端縁に対して低圧水噴射口の端縁を出入り可能とするリング部４０が配される。リング部４０はガイド孔３７の内形に装着可能な外形と高圧水ノズルホルダ部３１の低圧水供給導管と面一となる内形と予め定められた幅長とを備える。
【００３５】
任意の幅長のリング部４０を選択してこれを装着し、リング部４０を高圧水ノズルホルダ部３１の低圧水供給導管端縁面とガイド孔３７の座部４１とに突き合わせて締め付けボルト３９を緊締して固定することにより、図１のノズル先端部の一点鎖線で示したように高圧水噴射口３３の端縁に対して低圧水噴射口３８の端縁を出入り可能に保持することができる。
【００３６】
以上のように、高圧水及び低圧水は高低圧水供給部２０で各々供給されるため、高圧水及び低圧水を供給する配管やパイプは本発明の気中キャビテーションジェットノズルを２次元、３次元移動させる移動装置に付随して取付けることができる。このため、ノズルと被加工物とが対峙する噴射空間（改質室、洗浄室、処理室等）内で低圧水導入用配管がなくなり、ノズル周りがコンパクトになり、ノズルが移動する際の低圧水配管の取り回しが不要になり、噴射空間を大きく確保する必要がなくなる。
【００３７】
図３は両出口面の差を変えた場合のアルミ板の壊食量を示す線図である。尚、差が０は両出口面が同一面であり、ノズル面の差は高圧水の出口であるオリフィスの出口面に対して低圧ノズルの出口面が突出した距離の差を示し、差の増加は低圧ノズル出口面が前方（アルミ板方向）に位置することを意味する。図４に示す通り、高圧水と低圧水との合流点が変化するとキャビテーションによる壊食量、即ち、威力が変わることが判る。
【図面の簡単な説明】
【００３８】
【図１】本発明の気中キャビテーションジェットノズルの一実施例の構成を示す説明図であり、ａ図は縦断面図、ｂ図は側面図である。
【図２】図１のノズルの各横断面図であり、ａ図はＡ−Ａ断面図、ｂ図はＢ−Ｂ断面図、ｃ図はＣ−Ｃ断面図、ｄ図はＤ−Ｄ断面図、ｅ図はＥ−Ｅ断面図である。
【図３】両出口面の差を変えた場合のアルミ板の壊食量を示す線図である。
【図４】従来の気中キャビテーションジェットノズルのノズル構成を示す説明図である。
【符号の説明】
【００３９】
１０…本体部、
１１…高圧水供給導管、
１２…低圧水供給導管、
１３…円管、
１４…突き合わせ部、
１５…連通孔、
１６…フランジ部、
１７…連通孔
１８…連通孔、
１９…ホルダ部、
２０…高低圧水供給部、
２１…低圧水供給口、
２２…高圧水供給口、
２３…Ｚ軸マニホールド、
２４…穿設孔、
２５…連通孔、
３０…ノズル部、
３１…高圧水ノズルホルダ部、
３２…高圧水ノズル、
３３…高圧水噴射口、
３４…オリフィス、
３５…連通孔、
３６…低圧水ノズル部、
３７…ガイド孔、
３８…低圧水噴射口、
３９…締め付けボルト、
４０…リング部、
４１…座部、
【図１】
0005344813.tif 000002
【図２】
0005344813.tif 000003
【図３】
0005344813.tif 000004
【図４】
0005344813.tif 000005